(57)【要約】 【課題】操作性の低下を抑制できる電子機器を提供する。【解決手段】電子機器は、第１表示領域を含む第１面、第１面とは異なる方向を向く第２面、及び第１面の端と第２面の端とを結ぶ中間部を有する表示装置と、中間部の少なくとも一部に配置され、中間部に対するタッチ操作を検出するタッチ検出部と、を備えている。【選択図】図１
2012252554.tif 000002
【特許請求の範囲】
【請求項１】
第１表示領域を含む第１面、前記第１面とは異なる方向を向く第２面、及び前記第１面の端と前記第２面の端とを結ぶ中間部を有する表示装置と、
前記中間部の少なくとも一部に配置され、前記中間部に対するタッチ操作を検出するタッチ検出部と、を備える電子機器。
【請求項２】
前記第２面は、前記第１面の反対方向を向き、
前記中間部は、前記第１面の端と前記第２面の端とを結ぶ側部を含む請求項１に記載の電子機器。
【請求項３】
前記タッチ検出部は、前記第１面の中心に対して一側の前記側部の第１部分に配置される第１タッチ検出部と、他側の前記側部の第２部分に配置される第２タッチ検出部と、を含む請求項２に記載の電子機器。
【請求項４】
前記表示装置の外形は、実質的に矩形であり、
前記側部は、第１側部、前記第１側部に隣接する第２側部、前記第１側部と対向する第３側部、及び前記第２側部と対向する第４側部を含み、
前記タッチ検出部は、少なくとも前記第１側部及び前記第２側部に配置される請求項２に記載の電子機器。
【請求項５】
前記側部は、前記第１面の端と結ばれ、前記第１面と第１角部を形成するとともに、前記第２面の端と結ばれ、前記第２面と第２角部を形成する第３面を含み、
前記タッチ検出部は、前記第３面の少なくとも一部に配置される請求項２〜４のいずれか一項に記載の電子機器。
【請求項６】
前記側部は、前記第１面の端と結ばれ、前記第１面と第１角部を形成するとともに、前記第２面の端と結ばれ、前記第２面と第２角部を形成する第３面を含み、
前記タッチ検出部は、前記第１角部及び前記第２角部の一方又は両方に配置される請求項２〜４のいずれか一項に記載の電子機器。
【請求項７】
前記第１面と前記第３面とがなす角度は、４５度〜１３５度である請求項５又は６に記載の電子機器。
【請求項８】
前記第３面は、曲面を含む請求項５〜７のいずれか一項に記載の電子機器。
【請求項９】
前記表示装置は、屈曲可能であり、
前記中間部は、前記表示装置の屈曲部を含む請求項１に記載の電子機器。
【請求項１０】
前記中間部の少なくとも一部に、前記タッチ検出部とは異なる入力装置及び出力装置の一方又は両方が配置される請求項１〜９のいずれか一項に記載の電子機器。
【請求項１１】
前記タッチ検出部がタッチ操作された部位の位置及び数の少なくとも一方に基づいて、前記表示装置の姿勢を判定する判定装置を備える請求項１〜１０のいずれか一項に記載の電子機器。
【請求項１２】
前記判定装置の判定結果に基づいて、前記表示装置における表示状態を制御する制御装置を備える請求項１１に記載の電子機器。
【請求項１３】
前記表示装置の姿勢を検出する姿勢検出装置と、
前記姿勢検出装置の検出結果と、前記タッチ検出部の検出結果とに基づいて、前記表示装置における表示状態を制御する制御装置と、を備える請求項１１に記載の電子機器。
【請求項１４】
前記第２面は、第２表示領域を含む請求項１〜１３のいずれか一項に記載の電子機器。
【請求項１５】
前記タッチ検出部がタッチ操作された部位の位置及び数の少なくとも一方に応じて、前記表示装置の表示状態の制御を実行する制御装置を備える請求項１〜１０のいずれか一項に記載の電子機器。
【請求項１６】
前記タッチ検出部の同一部位がタッチ操作される時間に応じて、前記表示装置の表示状態の制御を実行する制御装置を備える請求項１〜１０のいずれか一項に記載の電子機器。
【請求項１７】
前記表示状態の制御は、表示される画像の内容の変更を含む請求項１５又は１６に記載の電子機器。
【請求項１８】
前記表示状態の制御は、表示される画像の向きの変更を含む請求項１５又は１６に記載の電子機器。
【請求項１９】
前記表示状態の制御は、表示された画像の消去、及び画像の表示の一方又は両方を含む請求項１５又は１６に記載の電子機器。
【請求項２０】
前記第２面は、前記第２表示領域を含み、
前記表示状態の制御は、前記第２表示領域における表示状態の制御を含む請求項１５〜１９のいずれか一項に記載の電子機器。
【請求項２１】
前記第１面の端の少なくとも一部は、前記第１表示領域の端を含む請求項１〜２０のいずれか一項に記載の電子機器。
【請求項２２】
前記第１面は、タッチ操作を検出する第１タッチ検出部の表面を含む請求項１〜２１のいずれか一項に記載の電子機器。
【請求項２３】
前記第２面は、タッチ操作を検出する第２タッチ検出部の表面を含む請求項１〜２１のいずれか一項に記載の電子機器。
【発明の詳細な説明】
【技術分野】
【０００１】
本発明は、電子機器に関する。
【背景技術】
【０００２】
例えばタブレットＰＣ等の電子機器において、下記特許文献に開示されているような電子機器が知られている。
【先行技術文献】
【特許文献】
【０００３】
【特許文献１】特開２００７−１６３５９７号公報
【発明の概要】
【発明が解決しようとする課題】
【０００４】
ユーザーが電子機器を使用する場合、良好に操作できる技術の案出が望まれる。
【０００５】
本発明の態様は、操作性の低下を抑制できる電子機器を提供することを目的とする。
【課題を解決するための手段】
【０００６】
本発明の一態様に従えば、第１表示領域を含む第１面、第１面とは異なる方向を向く第２面、及び第１面の端と第２面の端とを結ぶ中間部を有する表示装置と、中間部の少なくとも一部に配置され、中間部に対するタッチ操作を検出するタッチ検出部と、を備える電子機器が提供される。
【発明の効果】
【０００７】
本発明の態様によれば、操作性の低下を抑制できる。
【図面の簡単な説明】
【０００８】
【図１】本実施形態に係る電子機器の一例を示す図である。
【図２】本実施形態に係る電子機器の制御系の一例を示す図である。
【図３】本実施形態に係る電子機器の一例を示す図である。
【図４】本実施形態に係る電子機器の一例を示す図である。
【図５】本実施形態に係る電子機器の一例を示す図である。
【図６】本実施形態に係る電子機器の一例を示す図である。
【図７】本実施形態に係る電子機器の一例を示す図である。
【図８】本実施形態に係る電子機器の一例を示す図である。
【図９】本実施形態に係る電子機器の一例を示す図である。
【図１０】本実施形態に係る電子機器の一例を示す図である。
【図１１】本実施形態に係る電子機器の一例を示す図である。
【図１２】本実施形態に係る電子機器の一例を示す図である。
【図１３】本実施形態に係る電子機器の一例を示す図である。
【図１４】本実施形態に係る電子機器の一例を示す図である。
【図１５】本実施形態に係る電子機器の一例を示す図である。
【図１６】本実施形態に係る電子機器の一例を示す図である。
【図１７】本実施形態に係る電子機器の一例を示す図である。
【図１８】本実施形態に係る電子機器の一例を示す図である。
【図１９】本実施形態に係る電子機器の一例を示す図である。
【図２０】本実施形態に係る電子機器の一例を示す図である。
【図２１】本実施形態に係る電子機器の一例を示す図である。
【発明を実施するための形態】
【０００９】
以下、本発明の実施形態について図面を参照しながら説明するが、本発明はこれに限定されない。以下の説明においては、ＸＹＺ直交座標系を設定し、このＸＹＺ直交座標系を参照しつつ各部の位置関係について説明する。水平面内の所定方向をＸ軸方向、水平面内においてＸ軸方向と直交する方向をＹ軸方向、Ｘ軸方向及びＹ軸方向のそれぞれと直交する方向（すなわち鉛直方向）をＺ軸方向とする。また、Ｘ軸、Ｙ軸、及びＺ軸まわりの回転（傾斜）方向をそれぞれ、θＸ、θＹ、及びθＺ方向とする。
【００１０】
図１は、本実施形態に係る電子機器１の一例を示す図である。図１において、電子機器１は、表示領域５Ａを含む第１面５、第１面５とは異なる方向を向く第２面６、及び第１面５の端Ｅ１と第２面６の端Ｅ２とを結ぶ中間部７を有する表示装置２と、中間部７の少なくとも一部に配置され、中間部７に対するタッチ操作を検出するタッチ検出部４とを備えている。
【００１１】
本実施形態において、第２面６は、第１面５の反対方向を向く。以下の説明において、第１面５を適宜、表面５、と称し、第２面６を適宜、裏面６、と称する。また、表面５の端Ｅ１と裏面６の端Ｅ２とを結ぶ中間部７を適宜、側部７、と称する。
【００１２】
本実施形態において、表面５は、表示領域５Ａと、表示領域５Ａの周囲に配置される非表示領域５Ｂとを含む。裏面６は、表示領域６Ａと、表示領域６Ａの周囲に配置される非表示領域６Ｂとを含む。
【００１３】
本実施形態において、表面５の端Ｅ１は、非表示領域５Ｂの端である。裏面６の端Ｅ２は、非表示領域６Ｂの端である。
【００１４】
本実施形態において、表示装置２は、例えばフラットパネルディスプレイを含み、表示領域（表示部）５Ａ、６Ａは、そのフラットパネルディスプレイの表示領域（表示部）を含む。表示領域５Ａ、６Ａは、例えば液晶表示装置の表示領域である。なお、表示領域５Ａ、６Ａが、例えば有機ＥＬ表示装置の表示領域でもよい。なお、表示領域５Ａが、液晶表示装置の表示領域で、表示領域６Ａが、有機ＥＬ表示装置の表示領域でもよい。
【００１５】
本実施形態において、表示装置２の外形は、実質的に矩形（直方体）である。本実施形態において、表面５の外形は、実質的に長方形である。裏面６の外形は、実質的に長方形である。側部７は、第１側部７Ａと、第１側部７Ａに隣り合う第２側部７Ｂと、第１側部７Ａと対向する第３側部７Ｃと、第２側部７Ｂと対向する第４側部７Ｄとを含む。第１、第２、第３、第４側部７Ａ、７Ｂ、７Ｃ、７Ｄはそれぞれ真っ直ぐ（straight）である。第１側部７Ａと第３側部７Ｃとは、ほぼ平行である。第２側部７Ｂと第４側部７Ｄとは、ほぼ平行である。
【００１６】
本実施形態において、第１側部７Ａ及び第３側部７Ｃの寸法（図中、Ｚ軸方向に関する表示装置２の寸法）は、Ｗ１である。第２側部７Ｂ及び第４側部７Ｄの寸法（図中、Ｘ軸方向に関する表示装置２の寸法）は、Ｗ２である。表面５と裏面６との距離（図中、Ｙ軸方向に関する表示装置２の寸法）は、Ｗ３である。本実施形態において、寸法Ｗ１は、寸法Ｗ２よりも大きい。寸法Ｗ３は、寸法Ｗ１、Ｗ２よりも小さい。
【００１７】
また、本実施形態において、側部７は、第１側部７Ａと第２側部７Ｂとの間に配置される第１コーナー部７Ｅと、第２側部７Ｂと第３側部７Ｃとの間に配置される第２コーナー部７Ｆと、第３側部７Ｃと第４側部７Ｄとの間に配置される第３コーナー部７Ｇと、第４側部７Ｄと第１側部７Ａとの間に配置される第４コーナー部７Ｈとを含む。
【００１８】
タッチ検出部４は、側部７に対するタッチ操作を検出する。本実施形態において、タッチ検出部４は、静電容量方式である。なお、タッチ検出部４が、例えば電磁誘導方式でもよいし、赤外線方式でもよいし、表面弾性波方式でもよいし、抵抗膜方式でもよいし、マトリクス・スイッチ方式でもよい。
【００１９】
また、本実施形態において、タッチ検出部４は、多点入力可能な、所謂マルチタッチ方式のタッチ検出部である。
【００２０】
タッチ検出部４の少なくとも一部は、側部７に配置される。本実施形態において、タッチ検出部４は、少なくとも第１側部７Ａ及び第２側部７Ｂに配置される。
【００２１】
また、本実施形態において、タッチ検出部４は、表面５の中心に対して＋Ｘ側の第１側部７Ａのみならず、−Ｘ側の第３側部７Ｃにも配置される。また、本実施形態において、タッチ検出部４は、表面５の中心に対して＋Ｚ側の第２側部７Ｂのみならず、−Ｚ側の第４側部７Ｄにも配置される。
【００２２】
すなわち、本実施形態において、タッチ検出部４は、第１、第２、第３、第４側部７Ａ、７Ｂ、７Ｃ、７Ｄのそれぞれに配置される。また、本実施形態において、タッチ検出部４は、第１、第２、第３、第４コーナー部７Ｅ、７Ｆ、７Ｇ、７Ｈのそれぞれにも配置される。第１側部７Ａのタッチ検出部４と、第１コーナー部７Ｅのタッチ検出部４と、第２側部７Ｂのタッチ検出部４と、第２コーナー部７Ｆのタッチ検出部４と、第３側部７Ｃのタッチ検出部４と、第３側部７Ｃのタッチ検出部４と、第３コーナー部７Ｇのタッチ検出部４と、第４側部７Ｄのタッチ検出部４と、第４コーナー部７Ｈのタッチ検出部４とは、連続する。すなわち、本実施形態において、タッチ検出部４は、表面５及び裏面６を囲むように形成される。
【００２３】
側部７は、表面５の端Ｅ１と結ばれ、表面５と角部１９を形成するとともに、裏面６の端Ｅ２と結ばれ、裏面６と角部２０を形成する側面３を含む。本実施形態において、タッチ検出部４は、側面３の少なくとも一部に配置される。
【００２４】
本実施形態において、表面５は、タッチ操作を検出する第１タッチ検出部１１の表面を含む。すなわち、表示領域５Ａは、タッチパネル（タッチスクリーン）である。同様に、裏面６は、タッチ操作を検出する第２タッチ検出部１２の表面を含む。すなわち、表示領域６Ａは、タッチパネル（タッチスクリーン）である。
【００２５】
図２は、本実施形態に係る電子機器１の制御系の一例を示す模式図である。図２に示すように、本実施形態において、電子機器１は、表示装置２の表示状態を制御可能な制御装置１３と、制御装置１３に接続された記憶装置１４とを備えている。タッチ検出部４は、制御装置１３に接続される。
【００２６】
また、本実施形態において、電子機器１は、表示装置２の姿勢を検出する検出装置１５を備えている。検出装置１５は、例えば加速度センサ、ジャイロセンサ等を含む。検出装置１５は、例えば重力が作用する方向（重力方向）に対する表示装置２の姿勢を検出する。
【００２７】
図３〜図７は、ユーザーが電子機器１を操作している状態の一例を示す。
【００２８】
図３、図４、及び図５は、ユーザーが、第４側部７Ｄが下方（地面、床面等）を向くように表示装置２の姿勢を維持した状態で、右手で操作している例を示す。制御装置１３は、検出装置１５の検出結果に基づいて、表示領域５Ａに表示される画像の向きを調整する。図３〜図５に示す例では、表示領域５Ａに表示される画像の上部が第２端部７Ｂに近い位置に配置されるように、画像の向きが調整される。なお、本例では、画像は、動物（熊）の画像である。画像の上部とは、動物の頭の部分を差すこととする。
【００２９】
図３〜図５に示す例において、制御装置１３は、タッチ検出部４がタッチ操作された部位の位置及び数の少なくとも一方に応じて、表示装置２の表示状態の制御を実行する。
【００３０】
図３は、ユーザーが、第１側部７Ａのタッチ検出部４と第２側部７Ｂのタッチ検出部４とを同時にタッチ操作している例を示す。すなわち、タッチ検出部４のうち、第１、第２側部７Ａ、７Ｂに配置されている２つの部位がタッチ操作される例を示す。第１、第２側部７Ａ、７Ｂのタッチ検出部４が同時にタッチ操作されることによって、表示領域５Ａに表示される画像が拡大又は縮小される。
【００３１】
図４は、ユーザーが、第２側部７Ｂのタッチ検出部４をタッチ操作している例を示す。すなわち、タッチ検出部４のうち、第２側部７Ｂに配置されている１つの部位がタッチ操作される例を示す。第２側部７Ｂのタッチ検出部４がタッチ操作されることによって、表示領域５Ａに表示される画像が、第２側部７Ｂに沿って移動する。
【００３２】
図５は、ユーザーが、第１側部７Ａのタッチ検出部４をタッチ操作している例を示す。すなわち、タッチ検出部４のうち、第１側部７Ａに配置されている１つの部位がタッチ操作される例を示す。第１側部７Ａのタッチ検出部４がタッチ操作されることによって、表示領域５Ａに表示される画像が、第１側部７Ａに沿って移動する。
【００３３】
図６、及び図７は、ユーザーが、第３側部７Ｃが下方（地面、床面等）を向くように表示装置２の姿勢を維持した状態で、右手で操作している例を示す。制御装置１３は、検出装置１５の検出結果に基づいて、表示領域５Ａに表示される画像の向きを調整する。図６、及び図７に示す例では、表示領域５Ａに表示される画像の上部が第１端部７Ａに近い位置に配置されるように、画像の向きが調整される。
【００３４】
図６、及び図７に示す例において、制御装置１３は、タッチ検出部４がタッチ操作された部位の位置及び数の少なくとも一方に応じて、表示装置２の表示状態の制御を実行する。
【００３５】
図６は、ユーザーが、第１側部７Ａのタッチ検出部４をタッチ操作している例を示す。すなわち、タッチ検出部４のうち、第１側部７Ａに配置されている１つの部位がタッチ操作される例を示す。第１側部７Ａのタッチ検出部４がタッチ操作されることによって、表示領域５Ａに表示される画像が、第１側部７Ａに沿って移動する。
【００３６】
図７は、ユーザーが、第４側部７Ｄのタッチ検出部４をタッチ操作している例を示す。すなわち、タッチ検出部４のうち、第４側部７Ｄに配置されている１つの部位がタッチ操作される例を示す。第４側部７Ｄのタッチ検出部４がタッチ操作されることによって、表示領域５Ａに表示される画像が、第４側部７Ｄに沿って移動する。
【００３７】
なお、ユーザーが、例えば第１側部７Ａのタッチ検出部４と第４側部７Ｄのタッチ検出部４とを同時にタッチ操作してもよい。第１、第４側部７Ａ、７Ｄのタッチ検出部４が同時にタッチ操作されることによって、表示領域５Ａに表示される画像が拡大及び縮小される。
【００３８】
このように、制御装置１３は、検出装置１５の検出結果に基づいて、画像の向きを調整するとともに、タッチ検出部４の検出結果に基づいて、表示装置２における表示状態を制御する。また、制御装置１３は、タッチ検出部４がタッチ操作された部位の位置及び数の少なくとも一方に応じて、表示装置２の表示状態を制御する。制御装置１３は、検出装置１５の検出結果とタッチ検出部４の検出結果とに基づいて、画像の向きを維持しつつ、画像の拡大、縮小、及び移動の少なくとも一つを実行する。
【００３９】
以上説明したように、本実施形態によれば、少なくとも一部が側部７に配置されるタッチ検出部４をタッチ操作することによって、電子機器１を操作性良く操作できる。また、本実施形態によれば、表示領域５Ａを触ることなくタッチ操作できる。したがって、例えば表示領域５Ａが汚れることを抑制できる。
【００４０】
なお、図３〜図７に示した操作方法は、一例に過ぎない。例えば、タッチ検出部４がタッチ操作された部位の位置及び数と、その位置及び数に応じた表示装置２の動作（表示状態）との関係を定め、その関係（情報）を記憶装置１４に記憶しておく。制御装置１３は、その記憶装置１４の情報と、タッチ検出部４の検出結果とに基づいて、表示装置２の表示状態を制御することができる。
【００４１】
例えば、タッチ検出部４がタッチ操作された部位の位置及び数の少なくとも一方に応じて、表示領域５Ａに表示されていた画像が消去されてもよい。例えば、第１コーナー部７Ｅと第３コーナー部７Ｇと第４側部７Ｅとが同時にタッチ操作された場合、画像が消去されてもよい。
【００４２】
また、タッチ検出部４がタッチ操作された部位の位置及び数の少なくとも一方に応じて、画像を表示していない表示領域５Ａに画像が表示されるようにしてもよい。例えば、第２コーナー部７Ｆと第４コーナー部７Ｈと第１側部７Ａとが同時にタッチ操作された場合、画像が表示されてもよい。
【００４３】
同様に、タッチ検出部４がタッチ操作された部位の位置及び数の少なくとも一方に応じて、表示領域６Ａにおける画像の表示及び非表示が切り替わるようにしてもよい。
【００４４】
また、タッチ検出部４がタッチ操作された部位の位置及び数の少なくとも一方に応じて、表示領域５Ａに表示される画像が変更されてもよい。例えば、第１側部７Ａと第２側部７Ｂと第３側部７Ｃとが同時にタッチ操作された場合、表示領域５Ａに第１の画像（例えば熊の画像）が表示され、第２側部７Ｂと第３側部７Ｃと第４側部７Ｄとが同時にタッチ操作された場合、表示領域５Ａに第１の画像とは異なる第２の画像（例えば猫の画像）が表示されるようにしてもよい。同様に、タッチ検出部４がタッチ操作された部位の位置及び数の少なくとも一方に応じて、表示領域６Ａに表示される画像が変更されてもよい。
【００４５】
また、本実施形態においては、検出装置１５の検出結果に基づいて、画像の向きが調整されることとしたが、タッチ検出部４がタッチ操作された部位の位置及び数の少なくとも一方に応じて、表示領域５Ａ及び表示領域６Ａの一方又は他方の画像の向きが変更されてもよい。
【００４６】
また、タッチ検出部４の同一部位がタッチ操作される時間に応じて、表示装置２の表示状態が制御されてもよい。例えば図８に示すように、第４側部７Ｄのタッチ検出部４が第１時間Ｔ１以上タッチ操作され続けることにより、画像を表示していない表示領域５Ａ及び表領域６Ａの一方又は両方に画像が表示されるようにしてもよいし、電子機器１の電源が起動されてもよい。また、例えば図９に示すように、第１側部７Ａ及び第４側部７Ｄのタッチ検出部４が第２時間Ｔ２以上タッチ操作され続けることにより、表示領域５Ａ及び表示領域６Ａの一方又は両方に表示されていた画像が消去されてもよいし、電子機器１の電源が停止されてもよい。
【００４７】
また、電子機器１が机上に置かれた状態でタッチ検出部４がタッチ操作されない時間が第３時間Ｔ３以上経過したとき、表示領域５Ａ及び表示領域６Ａの一方又は両方に表示されていた画像が消去されてもよいし、電子機器１の電源が停止されてもよい。また、その机上に置かれた電子機器１のタッチ検出部４をユーザーが触れたとき、画像を表示していない表示領域５Ａ及び表領域６Ａの一方又は両方に画像が表示されるようにしてもよいし、電子機器１の電源が起動されてもよい。
【００４８】
また、タッチ検出部４の同一部位がタッチ操作される時間に応じて、表示される画像の内容が変更されてもよいし、表示される画像の向きが変更されてもよい。
【００４９】
また、記憶装置１４に記憶されているプログラム（アプリケーションプログラム）に基づいて表示装置２が制御される場合、タッチ検出部４がタッチ操作された部位の位置及び数の少なくとも一方に応じて、表示領域５Ａに表示されるアプリケーションプログラム（アプリケーションプログラムに基づく画像）が選択されてもよい。換言すれば、タッチ検出部４がタッチ操作された部位の位置及び数の少なくとも一方に応じて、提供されるアプリケーションプログラムが選択されてもよい。例えば、タッチ検出部４がタッチ操作された部位の位置及び数が第１状態の場合、換言すれば、ユーザーが第１状態で電子機器１を保持している場合、記憶装置１４に記録されている複数のプログラムのうち、第１のプログラム（例えば電子メール用のプログラム）が提供され、表示領域５Ａに、その第１のプログラムに基づく画像が表示されてもよい。また、タッチ検出部４がタッチ操作された部位の位置及び数が第１状態とは異なる第２状態の場合、換言すれば、ユーザーが第２状態で電子機器１を保持している場合、記憶装置１４に記録されている複数のプログラムのうち、第１のプログラムとは異なる第２のプログラム（例えば音楽再生用のプログラム）が提供され、表示領域５Ａに、その第２のプログラムに基づく画像が表示されてもよい。同様に、タッチ検出部４がタッチ操作された部位の位置及び数の少なくとも一方に応じて、表示領域６Ａに提供されるプログラム（画像）が変更されてもよい。
【００５０】
また、タッチ検出部４がタッチ操作される部位の位置及び数の少なくとも一方を使って、電子機器１の作動が制限されるようにしてもよい。換言すれば、タッチ検出部４がタッチ操作される部位の位置及び数を使って、パスワードを設定してもよい。
【００５１】
また、タッチ検出部４を使って、生体認識をするようにしてもよい。
【００５２】
また、本実施形態において、制御装置１３は、タッチ検出部４がタッチ操作された部位の位置及び数の少なくとも一方に基づいて、表示装置２の姿勢を判定してもよい。例えば、ユーザーの利き手が左手であって、図８に示すように、第３側部７Ｃのタッチ検出部４がタッチ操作された場合、制御装置１３は、表示装置２の姿勢が、第４側部７Ｄが下方（地面、床面等）を向く姿勢であると判定する。制御装置１３は、その判定結果に基づいて、表示装置２における表示状態を制御する。例えば、制御装置１３は、表示領域５Ａに画像を表示し、表示領域６Ａには画像を表示しないように制御する。
【００５３】
なお、本実施形態においては、表面５Ａの端Ｅ１は、非表示領域５Ｂの端を含むこととしたが、図１０に示すように、表面５の端Ｅ１が、表示領域５Ａの端を含むこととしてもよい。すなわち、表面５の全部を表示領域５Ａとしてもよい。同様に、裏面６の全部を表示領域６Ａとしてもよい。表面５の全部が表示領域５Ａであり、裏面６の全部が表示領域６Ａであっても、側部７のタッチ検出部４をタッチ操作することによって、表示領域５Ａ、６Ａを触らずに電子機器１を操作できる。
【００５４】
また、図１０に示す例では、側部（中間部）７に、入力装置１６及び出力装置１７が配置されている。入力装置１６は、例えば電源ボタンでもよい。なお、入力装置１６が、例えば操作ボタンでもよいし、マイクでもよいし、カメラでもよい。出力装置１７は、例えばスピーカーでもよい。なお、出力装置１７が、例えば発光装置でもよい。
【００５５】
表面５の全部が表示領域５Ａであり、裏面６の全部が表示領域６Ａである場合、その表面５及び裏面６に入力装置１６及び出力装置１７を配置することが困難となる可能性がある。本実施形態によれば、側部７に入力装置１６及び出力装置１７を配置することができる。また、側部７にタッチ検出部４と入力装置１６とが配置されることにより、操作性が向上する。
【００５６】
以下、図１１〜図１９を参照して、側部７の外形、及びその側部７に配置されるタッチ検出部４の一例について説明する。なお、図１１〜図１９を用いる以下の説明においては、第１側部７Ａの外形、第３側部７Ｃの外形、及びそれらに配置されるタッチ検出部４について説明するが、第２側部７Ｂの外形、第４側部７Ｄの外形、及びそれらに配置されるタッチ検出部４も同様である。
【００５７】
なお、以下の説明では、簡単のため、第１側部７Ａ及び第３側部７Ｃのうち、第１側部７Ａについて説明するが、第３側部７Ｃについても同様である。
【００５８】
図１１に示す側部７Ａは、表面５の端Ｅ１と結ばれ、表面５と角部１９を形成するとともに、裏面６の端Ｅ２と結ばれ、裏面６と角部２０を形成する側面３を含む。表面５と側面３とがなす角度θ１は、ほぼ９０度である。裏面６と側面３とがなす角度θ２は、ほぼ９０度である。
【００５９】
図１２に示す側部７Ａの外形は、図１１と同様である。図１２において、タッチ検出部４は、角部１９及び角部２０の両方に配置される。なお、タッチ検出部４は、角部１９及び角部２０のどちらか一方に配置されてもよい。
【００６０】
図１３に示す側部７Ａは、表面５の端Ｅ１と結ばれ、表面５と角部１９Ｂを形成する第１側面３Ａと、裏面６の端Ｅ２と結ばれ、裏面６と角部２０Ｂを形成する第２側面３Ｂとを含む。表面５と第１側面３Ａとがなす角度θ３は、ほぼ１３５度である。裏面６と第２側面３Ｂとがなす角度θ４は、ほぼ１３５度である。タッチ検出部４は、第１側面３Ａ及び第２側面３Ｂの両方に配置される。なお、タッチ検出部４が、第１側面３Ａ及び第２側面３Ｂのどちらか一方に配置されてもよい。
【００６１】
図１４に示す側部７Ａの外形は、図１３と同様である。図１４において、タッチ検出部４は、第１側面３Ａと第２側面３Ｂとで形成される角部２１に配置される。
【００６２】
図１５に示す側部７Ａは、表面５の端Ｅ１と結ばれ、表面５と角部１９Ｃを形成する側面３Ｃと、裏面６の端Ｅ２と結ばれ、裏面６と角部２０Ｃを形成する側面３Ｄと、側面３Ｃと側面３Ｄとの間に配置される側面３Ｅとを含む。表面５と側面３Ｃとがなす角度θ５は、９０度よりも大きい。裏面６と側面３Ｄとがなす角度θ６は、９０度よりも大きい。図１５に示す例では、側部７Ａは、異なる３方向を向く面を含む。タッチ検出部４は、側面３Ｃ、３Ｄ、３Ｅに配置される。なお、タッチ検出部４が、側面３Ｃ、３Ｄ、３Ｅの少なくとも２つの面に配置されてもよい。
【００６３】
図１６に示す側部７Ａは、表面５の端Ｅ１及び裏面６の端Ｅ２のそれぞれと結ばれる側面３Ｆを含む。側面３Ｆは、曲面である。側面３Ｆは、表示装置２の中心に対して外側に凸な曲面である。タッチ検出部４は、その側面（曲面）３Ｆに配置される。
【００６４】
図１７に示す側部７Ａは、表面５の端Ｅ１と結ばれ、表面５と角部１９Ｄを形成する第１側面３Ｇと、裏面６の端Ｅ２と結ばれ、裏面６と角部２０Ｄを形成する第２側面３Ｈとを含む。表面５と第１側面３Ｇとがなす角度θ７は、ほぼ４５度である。裏面６と第２側面３Ｈとがなす角度θ８は、ほぼ４５度である。タッチ検出部４は、第１側面３Ｇ及び第２側面３Ｈの両方に配置される。なお、タッチ検出部４が、第１側面３Ｇ及び第２側面３Ｈのどちらか一方に配置されてもよい。
【００６５】
図１８に示す側部７Ａは、表面５の端Ｅ１と結ばれ、表面５と角部１９Ｅを形成する側面３Ｊと、裏面６の端Ｅ２と結ばれ、裏面６と角部２０Ｅを形成する側面３Ｋと、側面３Ｊと側面３Ｋとの間に配置される側面３Ｌとを含む。表面５と側面３Ｊとがなす角度θ９は、９０度よりも小さい。裏面６と側面３Ｋとがなす角度θ１０は、９０度よりも小さい。側部７Ａは、異なる３方向を向く面を含む。タッチ検出部４は、側面３Ｊ、３Ｋ、３Ｌに配置される。なお、タッチ検出部４が、側面３Ｊ、３Ｋ、３Ｌの少なくとも２つの面に配置されてもよい。
【００６６】
図１９に示す側部７Ａは、表面５の端Ｅ１及び裏面６の端Ｅ２のそれぞれと結ばれる側面３Ｍを含む。側面３Ｍは、曲面である。側面３Ｍは、凹面である。タッチ検出部４は、その側面（曲面）３Ｍに配置される。
【００６７】
図１１〜図１９に示したように、表面５と側面（３等）とがなす角度は、例えば４５度〜１３５度でもよい。同様に、裏面６と側面（３等）とがなす角度は、例えば４５度〜１３５度でもよい。
【００６８】
図２０に示す表示装置２Ｐは、屈曲可能である。表示装置２Ｐは、例えば電子ペーパーを含む。図２０において、中間部７Ｐは、表示装置２Ｐの屈曲部１００を含む。屈曲部１００にタッチ検出部４が配置される。
【００６９】
なお、上述の実施形態において、タッチ検出部４と、第１タッチ検出部１１及び第２タッチ検出部１２の少なくとも一方とを組み合わせて、表示装置２の表示状態が制御されてもよい。例えば、タッチ検出部４と、第１タッチ検出部１１及び第２タッチ検出部１２の少なくとも一方とがタッチ操作された部位の位置及び数に基づいて、表示装置２における表示状態が制御されてもよい。
【００７０】
なお、上述の実施形態においては、側部７の全部にタッチ検出部４が配置されることとしたが、一部に配置されてもよい。例えば、タッチ検出部４が、第１側部７Ａと第２側部７Ｂとに配置され、第３、第４側部７Ｃ、７Ｃには配置されないこととしてもよい。
【００７１】
なお、上述の実施形態においては、裏面６は表示領域６Ａを含み、タッチ検出部１２を含むこととしたが、表示領域６Ａにタッチ検出部１２が含まれなくてもよい。また、上述の実施形態においては、裏面６が表示領域６Ａを含むこととしたが、含まなくてもよい。なお、裏面６が表示領域６Ａを含まない場合において、裏面６がタッチ検出部を含んでもよいし、含まなくてもよい。
【００７２】
なお、上述の実施形態においては、表面５は表示領域５Ａがタッチ検出部１１を含むこととしたが、含まなくてもよい。
【００７３】
なお、上述の実施形態においては、第１面５と、第１面５の反対方向を向く第２面６との間の側部（中間部）７にタッチ検出部４が配置されることとした。例えば図２１に示すような、第１面５０に対して反対方向を向かない第２面６０を有する表示装置であっても、その第１面５０の端と第２面６０の端とを結ぶ中間部７０Ａの少なくとも一部に、タッチ検出部４が配置されてもよい。なお、図２１に示す例において、第１面５０は、表示領域５０Ａと非表示領域５０Ｂとを含む。第２面６０は、表示領域６０Ａと非表示領域６０Ｂとを含む。また、表示装置２Ｑが、第１面５０及び第２面６０とは異なる方向を向く第３面８０を有する場合、第１面５０の端と第３面８０の端とを結ぶ中間部７０Ｂにタッチ検出部４が配置されてもよいし、第２面６０の端と第３面８０の端とを結ぶ中間部７Ｃにタッチ検出部４が配置されてもよい。
【符号の説明】
【００７４】
１…電子機器、２…表示装置、３…側面、４…タッチ検出部、５…表面、５Ａ…表示領域、６…裏面、６Ａ…表示領域、７…側部、１１…第１タッチ検出部、１２…第２タッチ検出部、１３…制御装置、１４…記憶装置、１５…検出装置、１６…入力装置、１７…出力装置
【図１】
2012252554.tif 000003
【図２】
2012252554.tif 000004
【図３】
2012252554.tif 000005
【図４】
2012252554.tif 000006
【図５】
2012252554.tif 000007
【図６】
2012252554.tif 000008
【図７】
2012252554.tif 000009
【図８】
2012252554.tif 000010
【図９】
2012252554.tif 000011
【図１０】
2012252554.tif 000012
【図１１】
2012252554.tif 000013
【図１２】
2012252554.tif 000014
【図１３】
2012252554.tif 000015
【図１４】
2012252554.tif 000016
【図１５】
2012252554.tif 000017
【図１６】
2012252554.tif 000018
【図１７】
2012252554.tif 000019
【図１８】
2012252554.tif 000020
【図１９】
2012252554.tif 000021
【図２０】
2012252554.tif 000022
【図２１】
2012252554.tif 000023